(57)【要約】【課題】ＶＴＲにおいて早送り再生や巻き戻し再生といった特殊再生を行う際に、画面上の映像が上下にずれる現象を無くし、常に安定した位置（画面中央）での映像出力が可能な映像信号処理回路を提供する。【解決手段】デジタル映像信号の１フィールドの水平ライン数と、該デジタル映像信号の１フィールドの水平ライン数との差分値ｓ１０２を２で除算した整数であるＶフラグ補正値ｓ１０４を求め、ＶＴＲにおいて通常再生時、または特殊再生時に、デジタル映像信号の水平ライン毎に付加するＳＡＶ／ＥＡＶの付加位置を、早送り再生の際には、通常再生時より上記Ｖフラグ補正値ｓ１０４分早め、巻き戻し再生の際には、上記Ｖフラグ補正値ｓ１０４分遅める。【選択図】　　　図１
2004112657.tif 000002
【特許請求の範囲】
【請求項１】
デジタル映像信号の垂直同期信号、及び水平同期信号を基に、該デジタル映像信号の１水平ライン毎に、該水平ラインの位置情報を含む信号を付加する映像信号処理方法において、
上記デジタル映像信号の垂直同期信号間の水平ライン数と、該デジタル映像信号が通常再生時の垂直同期信号間の水平ライン数との差分値を求め、
該差分値に応じて、上記デジタル映像信号の上記垂直同期信号の付加タイミングを制御し、
上記デジタル映像信号の垂直同期信号間の水平ライン数、及び上記付加タイミングが制御された垂直同期信号に基づいて、上記デジタル映像信号に付加する水平ラインの位置情報を含む信号の付加位置を制御する、
ことを特徴とする映像信号処理方法。
【請求項２】
デジタル映像信号の垂直同期信号、及び水平同期信号を基に、該デジタル映像信号の１水平ライン毎に、該水平ラインの位置情報を含む信号を付加する映像信号処理回路において、
上記デジタル映像信号の同期分離を行い、水平同期信号及び垂直同期信号を出力する同期分離回路と、
上記デジタル映像信号の垂直同期信号間の水平ライン数と、該デジタル映像信号が通常再生時の垂直同期信号間の水平ライン数と、の差分値を算出する第１の演算部と、
上記差分値に基づいて、上記垂直同期信号の付加タイミングを補正する垂直同期信号補正値を算出する第２の演算部と、
上記デジタル映像信号の垂直同期信号間の水平ライン数、及び上記垂直同期信号補正値に基づいて、上記デジタル映像信号に付加する付加タイミングが制御された垂直同期信号を出力する垂直同期信号制御回路と、
上記水平同期信号、及び上記付加タイミングが制御された垂直同期信号を基に、該デジタル映像信号の１水平ライン毎に、該水平ラインの位置情報を含む信号を付加する信号付加回路と、を備える、
ことを特徴とする映像信号処理回路。
【請求項３】
請求項２に記載の映像信号処理回路において、
上記差分値が正の自然数、あるいは負の自然数である場合、上記デジタル映像信号が巻き戻し再生、あるいは早送り再生である特殊再生時の映像信号であると判別し、上記差分値が０である場合、上記デジタル映像信号が通常再生時の映像信号であると判別する特殊再生判別回路を備え、
上記第２の演算部は、上記特殊再生判別回路の判別結果、及び上記差分値に基づいて、上記垂直同期信号補正値を算出する、
ことを特徴とする映像信号処理回路。
【請求項４】
請求項２に記載の映像信号処理回路において、
上記垂直同期信号制御回路は、
上記デジタル映像信号が、早送り再生の映像信号の場合、上記デジタル映像信号に付加する垂直同期信号の付加タイミングを、上記垂直同期信号補正値分早くし、
上記デジタル映像信号が、巻き戻し再生の映像信号の場合、上記デジタル映像信号に付加する垂直同期信号の付加タイミングを、上記垂直同期信号補正値分遅くする、
ことを特徴とする映像信号処理回路。
【請求項５】
請求項２に記載の映像信号処理回路において、
上記第２の演算部から出力された上記垂直同期信号補正値が、上記デジタル映像信号の垂直ブランキング期間の水平ライン数の最大値以下であるか否かを判断し、上記最大値以下である場合は、上記垂直同期信号補正値を、上記最大値より大きい場合は、該最大値を、第２の垂直同期信号補正値として出力するリミッタ回路を備え、
上記垂直同期信号制御回路は、上記デジタル映像信号の垂直同期信号間の水平ライン数、及び上記第２の垂直同期信号補正値に基づいて、上記デジタル映像信号に付加する付加タイミングが制御された垂直同期信号を出力する、
ことを特徴とする映像信号処理回路。
【請求項６】
請求項５に記載の映像信号処理回路において、
上記垂直同期信号制御回路は、
上記デジタル映像信号が、早送り再生の映像信号の場合、上記デジタル映像信号に付加する垂直同期信号の付加タイミングを、上記第２の垂直同期信号補正値分早くし、
上記デジタル映像信号が、巻き戻し再生の映像信号の場合、上記デジタル映像信号に付加する垂直同期信号の付加タイミングを、上記第２の垂直同期信号補正値分遅くする、
ことを特徴とする映像信号処理回路。
【請求項７】
請求項２または請求項５に記載の映像信号処理回路において、
上記第２の演算部は、上記差分値を２で除算した整数値を、上記垂直同期信号補正値とする、
ことを特徴とする映像信号処理回路。
【発明の詳細な説明】
【０００１】
【発明の属する技術分野】
本発明は映像信号処理方法、及び映像信号処理装置に関し、特に、記録方式が２ヘッドのヘリカルスキャン方式であるＶＴＲにおいて、早送り再生や巻き戻し再生等の特殊再生をする際の出力画像のずれ現象の抑制に関する。
【０００２】
【従来の技術】
近年、デジタル化が急速に進行しているＡＶ機器市場において、映像信号をデジタルで処理するデジタル映像機器が増加しており、加えてＤＶＤ、ＤＶＣ等のデジタル映像機器の低価格化に伴い、今後、より一層の普及が期待されており、上記に示したような映像信号をデジタルで処理するデジタル映像機器においては、アナログビデオ信号をデジタルデータに変換する際のデータ形式としてＲＥＣ６５６規格の信号がよく使用されている。
【０００３】
ＲＥＣ６５６規格とは、ＩＴＵ−Ｒ（国際電気通信連合）によって規定化されたテレビ放送向けコンポーネント信号のインターフェイスに関する規格であり、上記規格においては、メモリ削減のために有効画素部分のみをデータ化して処理することを規定化している。そのため、ＲＥＣ６５６信号には、図７に示すように、映像信号の水平１ライン毎の先頭と最後の部分に、ＳＡＶ（Ｓｔａｒｔ　Ａｃｔｉｖｅ　Ｖｉｄｅｏ）及びＥＡＶ（Ｅｎｄ　Ａｃｔｉｖｅ　Ｖｉｄｅｏ）と呼ばれる、４バイトから構成されるスタート・エンド信号が付加される。このＳＡＶ／ＥＡＶの各ヘッダ情報の中には、デジタル映像信号の水平ラインの位置情報が含まれ、デジタル映像機器は、このＳＡＶ／ＥＡＶのデータを読み取ることで、デジタル映像信号内の水平・垂直同期信号と、有効画素部分との判別を行っている。
【０００４】
以下、図を用いて従来の映像信号処理回路について説明する。図８は、従来の映像信号処理回路の構成を示す図である。
図８において、映像信号処理回路５０は、映像信号入力，出力端子５１，５２と、Ａ／Ｄ変換回路５３と、Ｙ／Ｃ分離回路５４と、ＴＢＣ（タイム・ベース・コレクタ）回路５５と、ＲＥＣ６５６ＥＮＣ回路５６と、動機分離回路５７と、からなり、映像信号入力端子５１には、外部よりＮＴＳＣコンポジット映像信号が入力され、Ａ／Ｄ変換回路５３は、上記映像信号入力端子５１からのアナログ信号をデジタル信号に変換するものである。そして、Ｙ／Ｃ分離回路５４は、上記Ａ／Ｄ変換回路５３からのデジタル映像信号ｓ１００を輝度信号（以下、「Ｙ信号」と称す。）と色信号（以下、「Ｃ信号」と称す。）とに分離するものであり、ＴＢＣ回路５５は、上記Ｙ／Ｃ分離回路５４から出力されるＹ信号及びＣ信号に対して、水平走査周波数の時間軸補正処理を行うものである。また、同期分離回路５７は、上記Ａ／Ｄ変換回路５３からのデジタル映像信号ｓ１００を水平・垂直同期信号（Ｈｓｙｎｃ、Ｖｓｙｎｃ）に分離するものであり、ＲＥＣ６５６ＥＮＣ回路５６は、上記ＴＢＣ回路５５からの補正されたＹ信号及びＣ信号に、垂直・水平同期信号を基にＳＡＶ／ＥＡＶを付加し、図７に示すようなＲＥＣ６５６信号として映像信号出力端子５２から出力するものである。
【０００５】
以上のように構成された映像信号処理回路５０の動作について、図９を用いて説明する。図９は、従来における、映像信号出力端子から出力されるＲＥＣ６５６信号を表示画面に表示した図であり、図９（ａ）は通常再生の場合、図９（ｂ）は早送り再生の場合、図９（ｃ）は巻き戻し再生の場合の表示画像を示すものである。
【０００６】
上記従来の映像信号処理回路５０は、Ｙ信号とＣ信号とが多重されたアナログ映像信号（コンポジット映像信号）の入力に対して、ＳＡＶ／ＥＡＶを付加したデジタル映像信号の伝送規格であるＲＥＣ６５６信号を出力するものであり、以下、通常再生時、あるいは特殊再生時の映像信号が入力された場合の映像信号処理回路５０の動作について詳述する。
【０００７】
まず、ＶＴＲでＮＴＳＣ信号の通常再生が行われ、その通常再生時のアナログ映像信号が映像信号入力端子５１から入力されると、Ａ／Ｄ変換回路５３でデジタル変換され、デジタル変換されたコンポジット映像信号ｓ１００が出力される。そして、上記Ａ／Ｄ変換回路５３から出力されたデジタル映像信号ｓ１００は、Ｙ／Ｃ分離回路５４で、Ｙ信号とＣ信号とに分離され、同期分離回路５７において、デジタル映像信号ｓ１００の水平・垂直同期信号（Ｈｓｙｎｃ、Ｖｓｙｎｃ）が出力される。
【０００８】
そして、上記Ｙ／Ｃ分離回路５４からのＹ信号及びＣ信号は、ＴＢＣ回路５５で水平走査周波数の時間軸が補正され、ＲＥＣ６５６ＥＮＣ回路５６で、上記ＴＢＣ回路５５からの補正されたＹ信号及びＣ信号に対して、上記同期分離回路５７からの水平・垂直同期信号（Ｈｓｙｎｃ、Ｖｓｙｎｃ）を基にＳＡＶ／ＥＡＶが付加され、ＲＥＣ６５６信号として、映像信号出力端子５２より出力される。
【０００９】
そして、上述のように、入力映像信号がインターレース走査方式のＮＴＳＣ信号の場合、同期分離回路５３で得られる垂直同期信号（Ｖｓｙｎｃ）の１フィールドの水平ライン数は２６２．５であるため、上記映像信号出力端子５２から出力されるＲＥＣ６５６信号は、図９（ａ）のように表示される。
【００１０】
次に、ＶＴＲでＮＴＳＣ信号の特殊再生を行った場合における、映像信号処理回路５０の動作について説明する。
なお、ここでは、映像信号入力端子５１に入力される映像信号が１５倍速の早送り再生信号で、且つ、ＶＴＲの記録再生が２ヘッドで１フィールドずつ交互に行われ記録再生されるため、ヘッドの変わり目で映像信号が途切れたり乱れたりしないようにするためになされるヘリカルスキャン記録方式によるテープのオーバーラップが、１．５Ｈ（Ｈは水平走査期間）であるとして説明する。
【００１１】
まず、上記早送り再生時の映像信号の水平ラインと、通常再生時の映像信号との水平ライン数とを比較すると、通常再生時の映像信号に比べて減少する水平ライン数ｄは、
ｄ＝１．５（１５−１）＝２１
となる。つまり、上記早送り再生信号が、映像信号入力端子５１に入力された場合、ＲＥＣ６５６ＥＮＣ回路５６から出力されるＲＥＣ６５６信号は、通常再生時の映像信号に比べて水平ライン数が２１ライン減少された、２６２．５Ｈ−１．５（１５−１）＝２４１．５Ｈとなる。したがって、早送り映像信号においては、上記減少した水平ライン数２１ライン分の有効画素が無くなるため、早送り再生時の出力表示は、図９（ｂ）に示すように、通常再生時の出力表示（図９（ａ））と比較すると、画面上の映像は、縦方向に縮み、画面上部にずれた状態となる。
【００１２】
また、逆に、ＶＴＲで巻き戻し再生を行った場合は、映像の水平ライン数が通常再生時のライン数に比べて、１．５（１５−１）＝２１ライン増加するため、映像信号出力端子５２から出力されるＲＥＣ６５６信号は、通常再生時の映像信号に比べて水平ライン数が２１ライン増加された、２６２．５Ｈ＋１．５（１５−１）＝２８３．５Ｈとなる。したがって、巻き戻し再生時ににおいては、水平ライン数２１ライン分の有効画素が増加するため、巻き戻し再生時の出力表示は、図９（ｃ）に示すように、通常再生時の出力表示（図９（ａ））と比較すると、画面上の映像は、縦方向に伸び、画面の下方向にずれた状態となる。
【００１３】
上述したように、従来の映像信号処理回路５０の構成では、特殊再生信号、例えば早送り再生信号を処理した時には、映像の水平ライン数が通常再生時に比べて減少するため、表示画面上の映像は、通常再生時に比べて縦方向に縮み、その表示画像の中心が上方向にずれた状態となり、一方、巻き戻し再生信号を処理した時には、映像の水平ライン数が通常再生時のライン数に比べて増加するため、表示画面上の映像は、通常再生時に比べて縦方向に伸び、その表示画像の中心が下方向にずれた状態となる、という問題があった。
【００１４】
この問題を解決する方法として、例えば、装置内に、入力された映像信号をＡ／Ｄ変換部によりディジタル映像信号に変換し、同期分離部で水平・垂直後期信号を分離し、この同期信号を基準として書き込み制御部により、上記Ａ／Ｄ変換部からのディジタル映像信号を１フィールドずつ記憶するフィールドメモリを備え、ＶＴＲの特殊再生等で映像信号の水平ライン数が正規と異なる場合に、補間処理部により正規の水平ライン数に補間し、伸び縮みのない映像を表示するものがある（特許文献１参照）。
【００１５】
【特許文献１】
特開平１０−９８６９０号公報
【００１６】
【発明が解決しようとする課題】
しかし、上述した特許文献１の方法では、ＶＴＲの特殊再生等で映像信号の水平ライン数が正規と異なる際にその映像信号を正規の水平ライン数に補間するために、装置内にディジタル映像信号を１フィールドずつ記憶するメモリを備える必要があり、これにより、装置規模が大きくなるという問題があった。
【００１７】
本発明は、上記問題に鑑みてなされたものであり、装置内に映像信号を１フィールドずつ記憶する等のメモリを備えないで、ＶＴＲにおける早送り再生や巻き戻し再生といった特殊再生時に、画面上の映像を常に安定した位置（画面中央）に出力可能な映像信号処理方法、及び映像信号処理回路を提供することを目的とする。
【００１８】
【課題を解決するための手段】
上記課題を解決するために、本発明の請求項１に記載の映像信号処理方法は、デジタル映像信号の垂直同期信号、及び水平同期信号を基に、該デジタル映像信号の１水平ライン毎に、該水平ラインの位置情報を含む信号を付加する映像信号処理方法において、上記デジタル映像信号の垂直同期信号間の水平ライン数と、該デジタル映像信号が通常再生時の垂直同期信号間の水平ライン数との差分値を求め、該差分値に応じて、上記デジタル映像信号の上記垂直同期信号の付加タイミングを制御し、上記デジタル映像信号の垂直同期信号間の水平ライン数、及び上記付加タイミングが制御された垂直同期信号に基づいて、上記デジタル映像信号に付加する水平ラインの位置情報を含む信号の付加位置を制御するものである。
【００１９】
また、本発明の請求項２に記載の映像信号処理回路は、デジタル映像信号の垂直同期信号、及び水平同期信号を基に、該デジタル映像信号の１水平ライン毎に、該水平ラインの位置情報を含む信号を付加する映像信号処理回路において、上記デジタル映像信号の同期分離を行い、水平同期信号及び垂直同期信号を出力する同期分離回路と、上記デジタル映像信号の垂直同期信号間の水平ライン数と、該デジタル映像信号が通常再生時の垂直同期信号間の水平ライン数と、の差分値を算出する第１の演算部と、上記差分値に基づいて、上記垂直同期信号の付加タイミングを補正する垂直同期信号補正値を算出する第２の演算部と、上記デジタル映像信号の垂直同期信号間の水平ライン数、及び上記垂直同期信号補正値に基づいて、上記デジタル映像信号に付加する付加タイミングが制御された垂直同期信号を出力する垂直同期信号制御回路と、上記水平同期信号、及び上記付加タイミングが制御された垂直同期信号を基に、該デジタル映像信号の１水平ライン毎に、該水平ラインの位置情報を含む信号を付加する信号付加回路と、を備えるものである。
【００２０】
また、本発明の請求項３に記載の映像信号処理回路は、請求項２に記載の映像信号処理回路において、上記差分値が正の自然数、あるいは負の自然数である場合、上記デジタル映像信号が巻き戻し再生、あるいは早送り再生である特殊再生時の映像信号であると判別し、上記差分値が０である場合、上記デジタル映像信号が通常再生時の映像信号であると判別する特殊再生判別回路を備え、上記第２の演算部は、上記特殊再生判別回路の判別結果、及び上記差分値に基づいて、上記垂直同期信号補正値を算出するものである。
【００２１】
また、本発明の請求項４に記載の映像信号処理回路は、請求項２に記載の映像信号処理回路において、上記垂直同期信号制御回路は、上記デジタル映像信号が、早送り再生の映像信号の場合、上記デジタル映像信号に付加する垂直同期信号の付加タイミングを、上記垂直同期信号補正値分早くし、上記デジタル映像信号が、巻き戻し再生の映像信号の場合、上記デジタル映像信号に付加する垂直同期信号の付加タイミングを、上記垂直同期信号補正値分遅くするものである。
【００２２】
また、本発明の請求項５に記載の映像信号処理回路は、請求項２に記載の映像信号処理回路において、上記第２の演算部から出力された上記垂直同期信号補正値が、上記デジタル映像信号の垂直ブランキング期間の水平ライン数の最大値以下であるか否かを判断し、上記最大値以下である場合は、上記垂直同期信号補正値を、上記最大値より大きい場合は、該最大値を、第２の垂直同期信号補正値として出力するリミッタ回路を備え、上記垂直同期信号制御回路は、上記デジタル映像信号の垂直同期信号間の水平ライン数、及び上記第２の垂直同期信号補正値に基づいて、上記デジタル映像信号に付加する付加タイミングが制御された垂直同期信号を出力するものである。
【００２３】
また、本発明の請求項６に記載の映像信号処理回路は、請求項５に記載の映像信号処理回路において、上記垂直同期信号制御回路は、上記デジタル映像信号が、早送り再生の映像信号の場合、上記デジタル映像信号に付加する垂直同期信号の付加タイミングを、上記第２の垂直同期信号補正値分早くし、上記デジタル映像信号が、巻き戻し再生の映像信号の場合、上記デジタル映像信号に付加する垂直同期信号の付加タイミングを、上記第２の垂直同期信号補正値分遅くするものである。
【００２４】
また、本発明の請求項７に記載の映像信号処理回路は、請求項２または請求項５に記載の映像信号処理回路において、上記第２の演算部は、上記差分値を２で除算した整数値を、上記垂直同期信号補正値とするものである。
【００２５】
【発明の実施の形態】
以下、本発明の実施の形態について説明する。
（実施の形態１）
まず、図１を用いて、本実施の形態１における映像信号処理回路の構成について説明する。図１は、本実施の形態１に係る映像信号処理回路の構成を示す図である。
【００２６】
図１において、本実施の形態１の映像信号処理回路１０は、映像信号入力端子１１、Ａ／Ｄ変換回路１３、Ｙ／Ｃ分離回路１４、ＴＢＣ回路１５、ＲＥＣ６５６ＥＮＣ回路１６、同期分離回路１７、水平ラインカウンタ１８、第１の演算部１９、特殊再生判別回路２０、第２の演算部２１、Ｖフラグ付加制御回路２２、及び映像信号出力端子１２と、を備え、上記水平ラインカウンタ１８は、上記Ａ／Ｄ変換回路１３においてデジタル変換されたデジタル映像信号ｓ１００を上記同期分離回路１７において同期分離した水平・垂直同期信号（Ｈｓｙｎｃ、Ｖｓｙｎｃ）に基づいて、垂直同期信号の間（１フィールド）の水平ライン数ｓ１０１を計数するものであり、第１の演算部１９は、上記水平ライン数ｓ１０１と、上記デジタル映像信号ｓ１００が通常再生時である場合の１フィールドの水平ライン数との差分値ｓ１０２を算出するものであり、特殊再生判別回路２０は、上記第１の演算部１９で算出した差分値ｓ１０２より、ＶＴＲにおける映像信号の再生が通常再生であるか、特殊再生であるかを判別するものであり、第２の演算部２１は、上記第１の演算部１９からの差分値ｓ１０２と、上記特殊再生判別回路２０における判別結果とに基づいて、ＴＢＣ回路１５において分離されたデジタル映像信号ｓ１００のＹ信号及びＣ信号に付加するＳＡＶ／ＥＡＶの垂直同期信号（以下、「Ｖフラグ」と称す。）の補正後の付加タイミング示すＶフラグ補正値ｓ１０４を算出するものであり、Ｖフラグ付加制御回路２２は、上記Ｖフラグ補正値ｓ１０４に基づいて、映像信号にＳＡＶ／ＥＡＶを付加するＶフラグのイネーブル信号ｓ１０５を出力するものである。なお、その他の構成は、従来装置と同様であるため、ここでは説明を省略する。
【００２７】
以上のように構成された映像信号処理回路１０の動作について、図２〜図４を用いて説明する。
図２は、本実施の形態１に係る、早送り再生時に映像信号出力端子から出力されたＲＥＣ６５６信号を画面表示した図であり、図３は、本実施の形態１に係る、映像信号処理回路において、早送り再生信号を処理する際のタイミングチャート図であり、図４は、本実施の形態１に係る、巻き戻し再生時に映像信号出力端子から出力されたＲＥＣ６５６信号を画面表示した図である。なお、本実施の形態１においては、特殊再生時に映像信号入力端子１１から入力される映像信号が、１５倍速早送り再生信号で、且つ再生された信号のテープのオーバーラップが１．５Ｈであるものとする。
【００２８】
まず、映像信号入力端子１１に、ＶＴＲで再生されたＮＴＳＣコンポジット映像信号が入力されると、Ａ／Ｄ変換回路１３においてＡ／Ｄ変換が行われ、そのデジタル変換されたデジタル映像信号ｓ１００が、Ｙ／Ｃ分離回路１４及び同期分離回路１７に入力される。
【００２９】
そして、上記Ｙ／Ｃ分離回路１４に入力されたデジタル映像信号ｓ１００は、Ｙ信号とＣ信号とに分離され、また、同期分離回路１７においては、その入力されたデジタル映像信号ｓ１００に対して同期分離処理が行れて、水平同期信号（Ｈｓｙｎｃ）と垂直同期信号（Ｖｓｙｎｃ）とが出力される。
【００３０】
そして、ＴＢＣ回路１５において、上記Ｙ／Ｃ　分離回路１４から出力されたＹ信号及びＣ信号に対して、水平走査周波数の時間軸補正が行われ、該補正されたＹ信号及びＣ信号は、水平ラインカウンタ１８において、上記同期分離回路１７からの水平同期信号（Ｈｓｙｎｃ）及び垂直同期信号（Ｖｓｙｎｃ）に基づいて、デジタル映像信号ｓ１００の１フィールドの水平ライン数ｓ１０１が計数される。
【００３１】
そして、第１の演算部１９において、上記水平ラインカウンタ１８において計数された入力映像信号の１フィールドの水平ライン数ｓ１０１と、該入力映像信号の通常再生時での１フィールドの水平ライン数との差分値ｓ１０２を算出する。なお、上記入力映像信号の通常再生時での１フィールドの水平ライン数は、あらかじめ第１の演算部１９に記録しておくものとする。そして、第１の演算部１９においては、差分値ｓ１０２として、（入力映像信号の１フィールドの水平ライン数ｓ１０１（２４１．５Ｈ））−（通常再生時の１フィールドの水平ライン数２６２．５Ｈ）＝“−２１”が得られる。
そして、上記第１の演算部１９で求められた水平ライン数の差分値ｓ１０２は、特殊再生判別回路２０、及び第２の演算部２１に入力される。
【００３２】
上記特殊再生判別回路２０においては、現在のＶＴＲにおける再生状態が、通常再生であるか、あるいは特殊再生であるかが、差分値ｓ１０２の値より判別される。この判別方法は、上記差分値ｓ１０２が“０”、即ち、通常再生時での水平ライン数と合致した時は、通常再生と判別し、上記差分値ｓ１０２が正の値である時は、巻き戻し再生と判別し、上記差分値ｓ１０２が負の値である時は、早送り再生と判別するものである。そして、特殊再生判別回路２０は、上述のようにして得た判別結果に対応した判別値ｓ１０３を、第２の演算部２１に出力する。ここでは、上記差分値ｓ１０２が“−２１”であって、負の値であるので、判別値ｓ１０３として、“早送り再生”に対応する数値を出力する。
【００３３】
そして、第２の演算部２１において、上記第１の演算部１９からの差分値ｓ１０２と、上記特殊再生判別回路２０からの判別値ｓ１０３の２値を基に、上記Ｖフラグ補正値ｓ１０４が算出される。ここでは、上記差分値ｓ１０２が“−２１”で、且つ上記判別値ｓ１０３の値が“早送り再生”を示すものであることから、第２の演算部２１において、差分値ｓ１０２の値“−２１”を２で除算した整数値“−１０”が、Ｖフラグ補正値ｓ１０４として出力される。つまり、このＶフラグ補正値ｓ１０４“１０Ｈ”分だけ、Ｖフラグを早く出力して、映像信号に付加するＳＡＶ／ＥＡＶの付加位置を強制的に早めることにより、Ｖフラグから入力映像信号の有効画素ラインまでの期間が長くなるため、有効画素ラインの出力位置を遅らせることができ、この結果、早送り再生時においても、出力映像信号を画面中央に表示することが可能となる。
【００３４】
そして、Ｖフラグ付加制御回路２２は、上記第２の演算部２２からのＶフラグ補正値ｓ１０４と、上記水平ラインカウンタ１８からの水平ライン数ｓ１０１とに基づいて、上記Ｖフラグ補正値ｓ１０４の符号が負である早送り再生の際には、Ｖフラグのイネーブル信号ｓ１０５を、通常再生の場合より、Ｖフラグ補正値ｓ１０４分だけ早く出力するよう制御する。なお、通常再生の場合、Ｖフラグのイネーブル信号ｓ１０５は、垂直同期信号と同時に立ち上がるものである。ここでは、上記判別値ｓ１０３が“早送り再生”を示し、上記Ｖフラグ補正値ｓ１０４が“−１０”であるため、図３に示すように、入力された映像信号の垂直同期信号の立ち上がりから、Ｖフラグ補正値ｓ１０４分、つまり水平ライン数１０分だけ早く、Ｖフラグのイネーブル信号ｓ１０５を出力する。
【００３５】
そして、ＲＥＣ６５６ＥＮＣ回路１６において、上記Ｖフラグ付加制御回路２１からのイネーブル信号ｓ１０５に基づいて、ＳＡＶ／ＥＡＶを上記ＴＢＣ回路１５からのＹ信号及びＣ信号に付加し、ＲＥＣ６５６信号として映像信号出力端子１２から出力する。つまり、１５倍速の早送り再生の場合には、通常再生時に比べて水平ライン数１０Ｈ前の水平ラインの映像信号から、ＳＡＶ／ＥＡＶが付加されることとなり、この結果、表示される映像は、図２（ｃ）に示すように、通常再生時に比べて上記Ｖフラグ補正値ｓ１０４分だけ表示位置が遅れて映像が表示されることとなり、通常再生時の出力表示（図２（ａ））の中心線を基準にして比較すると、本実施の形態１における早送り再生時の表示画面上の映像は、縦方向に縮むが、従来のように画面上部にずれた映像とはならず、画面の中心に表示することができる。
【００３６】
一方、ＶＴＲでＮＴＳＣ信号の巻き戻し再生を行った際の映像信号が、映像信号入力端子１１から入力された場合、上記第１の演算部１９において算出される差分値ｓ１０２は正の値となり、特殊再生判別回路２０からは、判別値ｓ１０３として“巻き戻し再生”に対応する値が出力される。そして、上記第２の演算部２１は、上記差分値ｓ１０２を２で徐算した値であるＶフラグ補正値ｓ１０４を算出し、上記Ｖフラグ付加制御回路２２は、上記Ｖフラグ補正値ｓ１０４、及び上記水平ラインカウンタ１８からの水平ライン数ｓ１０１に基づいて、上記Ｖフラグ補正値ｓ１０４の符号が正である巻き戻し再生の際には、Ｖフラグのイネーブル信号ｓ１０５を、通常再生の場合よりＶフラグ補正値ｓ１０４分だけ遅く出力するよう制御する。そして、ＲＥＣ６５６ＥＮＣ回路１６において、上記Ｖフラグ付加制御回路２１からのイネーブル信号ｓ１０５に基づいて、ＳＡＶ／ＥＡＶを上記ＴＢＣ回路１５からのＹ信号及びＣ信号に付加し、ＲＥＣ６５６信号として映像信号出力端子１２から出力する。この結果、本実施の形態１における巻き戻し再生時の映像は、図４（ｃ）に示されるように、通常再生時の出力表示（図４（ａ））の中心線を基準にして比較すると、縦方向に伸びるが、従来のように画面下部にずれた映像とはならず、画面の中心に表示される。
【００３７】
また、ＶＴＲでＮＴＳＣ信号の通常再生を行った場合は、上記第１の演算部１９において算出される差分値ｓ１０２が“０”となり、その結果、Ｖフラグ補正値ｓ１０４も“０”となるため、Ｖフラグ付加制御回路２２は、Ｖフラグのイネーブル信号ｓ１０５のタイミングをずらすことなく出力し、ＲＥＣ６５６ＥＮＣ回路１６においては、同期分離回路１７から出力される垂直同期信号（Ｖｓｙｎｃ）に基づいて、映像信号にＳＡＶ／ＥＡＶを付加するので、表示画面に表示される映像は、従来と同様、図４（ａ）に示すように表示される。
【００３８】
以上のように、本実施の形態１によれば、特殊再生時の、通常再生時と比較した１フィールドの水平ラインの差分値ｓ１０２を第１の演算部１９で算出し、第２の演算部１９において、上記差分値ｓ１０２を２で徐算した値であるＶフラグ補正値ｓ１０４を求め、該Ｖフラグ補正値ｓ１０４分、入力映像信号に付加するＳＡＶ／ＥＡＶの付加タイミングを早送り再生の際には早め、また、巻き戻し再生の際には遅らせることで、映像信号出力端子１２から出力されるＲＥＣ６５６信号の表示画面上の表示位置を調整するようにしたので、早送り再生、巻き戻し再生といった特殊再生の際に出力映像信号の水平ライン数が変わっても、常に表示画面上の画面中央に映像を出力できる効果が得られる。
【００３９】
なお、本実施の形態１においては、特殊再生判別回路２０で、差分値ｓ１０２が負の場合は早送り再生、また正の場合は巻き戻し再生と判別するとしたが、第１の演算部１９において、差分値ｓ１０２として、（通常再生時の１フィールドの水平ライン数２６２．５Ｈ）−（入力映像信号の水平ライン数ｓ１０１）を算出した場合には、差分値ｓ１０２が正の値の場合は巻き戻し再生、また負の値の場合は早送り再生と判別するようにすればよい。そして、Ｖフラグ付加制御回路２２においては、正の値であるＶフラグ補正値ｓ１０４が入力されれば、その値分イネーブル信号ｓ１０５を通常再生時より早く出力して、ＲＥＣ６５６ＥＮＣ回路１６において入力映像信号に付加されるＳＡＶ／ＥＡＶの付加タイミングを早め、また、負の値であるＶフラグ補正値ｓ１０４が入力されれば、その値分イネーブル信号ｓ１０５を通常再生時より遅く出力して、ＲＥＣ６５６ＥＮＣ回路１６において入力映像信号に付加されるＳＡＶ／ＥＡＶの付加タイミングを遅めるようにすればよい。
【００４０】
（実施の形態２）
本実施の形態２においては、特殊再生時の再生スピードが著しく速い場合について説明する。
まず、図５を用いて、本実施の形態２における映像信号処理回路の構成について説明する。図５は、本実施の形態２に係る映像信号処理回路の構成を示す図である。
【００４１】
図５において、本実施の形態２における映像信号処理回路１０ａは、第２の演算回路２１から出力されるＶフラグ補正値ｓ１０４が、垂直ブランキング期間の水平ライン数の最大値以下であるかを判断し、上記Ｖフラグ補正値ｓ１０４が垂直ブランキング期間の水平ライン数の最大値より大きい場合には、該垂直ブランキング期間の水平ライン数の最大値に置き換えるリミッタ回路２３をさらに設けたものである。なお、そのほかの構成は、上記実施の形態１と同様であるため、ここでは説明を省略する。
【００４２】
以上のように構成された本実施の形態２に係る映像信号処理回路１０ａの動作について、図６を用いて説明する。図６は、本実施の形態２に係る、映像信号処理回路において、早送り再生信号を処理する際のタイミングチャート図である。
【００４３】
なお、本実施の形態２においては、映像信号入力端子１１から入力される映像信号は、ＮＴＳＣコンポジット映像信号であって、また、特殊再生時に上記映像信号入力端子１１から入力される映像信号が、３０倍速早送り再生信号で、且つ再生された信号のテープのオーバーラップが、１．５Ｈであるものとする。
【００４４】
まず、映像信号入力端子１１に、ＶＴＲで再生されたＮＴＳＣコンポジット映像信号が入力されると、Ａ／Ｄ変換回路１３においてＡ／Ｄ変換が行われ、そのデジタル変換されたデジタル映像信号ｓ１００が、Ｙ／Ｃ分離回路１４及び同期分離回路１７に入力される。
【００４５】
そして、上記Ｙ／Ｃ分離回路１４に入力されたデジタル映像信号ｓ１００は、Ｙ信号とＣ信号とに分離され、また、同期分離回路１７においては、その入力されたデジタル映像信号ｓ１００に対して同期分離処理が行れて、水平同期信号（Ｈｓｙｎｃ）と垂直同期信号（Ｖｓｙｎｃ）とが出力される。
【００４６】
そして、ＴＢＣ回路１５において、上記Ｙ／Ｃ　分離回路１４から出力されたＹ信号及びＣ信号に対して、水平走査周波数の時間軸補正が行われ、該補正されたＹ信号及びＣ信号は、水平ラインカウンタ１８において、上記同期分離回路１７からの水平同期信号（Ｈｓｙｎｃ）及び垂直同期信号（Ｖｓｙｎｃ）に基づいて、デジタル映像信号ｓ１００の１フィールドの水平ライン数ｓ１０１が計数される。
【００４７】
そして、第１の演算部１９において、上記水平ラインカウンタ１８において計数された入力映像信号の１フィールドの水平ライン数ｓ１０１と、上記入力映像信号の通常再生時での１フィールドの水平ライン数との差分値ｓ１０２を算出する。なお、上記実施の形態１と同様、入力映像信号の通常再生時での１フィールドの水平ライン数は、あらかじめ第１の演算部１９に記録しておくものとする。ここでは、差分値ｓ１０２として、第１の演算部１９において、（入力映像信号の１フィールドの水平ライン数ｓ１０１）−（通常再生時の１フィールドの水平ライン数２６２．５Ｈ）＝“−４３．５”（＝−１．５×（３０−１））が得られる。
そして、上記第１の演算部１９で求められた水平ライン数の差分値ｓ１０２は、特殊再生判別回路２０、及び第２の演算部２１に入力される。
【００４８】
上記特殊再生判別回路２０においては、現在のＶＴＲにおける再生状態が、通常再生であるか、あるいは特殊再生であるかが、上記実施の形態１と同様、差分値ｓ１０２の値より判別される。この判別方法は、上記差分値ｓ１０２が“０”、即ち、通常再生時での水平ライン数と合致した時は、通常再生と判別し、上記差分値ｓ１０２が正の値である時は、巻き戻し再生と判別し、上記差分値ｓ１０２が負の値である時は、早送り再生と判別するものである。そして、特殊再生判別回路２０は、上述のようにして得た判別結果に対応した任意の値である判別値ｓ１０３を、第２の演算部２１に出力する。ここでは、上記差分値ｓ１０２が“−４３．５”であって、負の値であるので、判別値ｓ１０３として、“早送り再生”に対応する数値を出力する。
【００４９】
そして、第２の演算部２１において、上記第１の演算部１９からの差分値ｓ１０２と、上記特殊再生判別回路２０からの判別値ｓ１０３の２値を基に、上記Ｖフラグ補正値ｓ１０４が算出される。ここでは、上記第１の演算部１９からの差分値ｓ１０２が“−４３．５”で、且つ上記特殊再生判別回路２０からの判別値ｓ１０３の値が“早送り再生”を示すものであることから、第２の演算部２１において、差分値ｓ１０２の値“−４３．５”を２で除算した整数値“−２１”が、Ｖフラグ補正値ｓ１０４として出力される。つまり、このＶフラグ補正値ｓ１０４“２１Ｈ”分だけ、通常再生時よりＶフラグを早く出力して、映像信号に付加するＳＡＶ／ＥＡＶの付加位置を強制的に早めることにより、Ｖフラグから入力映像信号の有効画素ラインまでの期間が長くなるため、有効画素ラインの出力位置を遅らせることができ、この結果、早送り再生時においても、出力映像を画面中央に出力することが可能となる。
【００５０】
しかし、Ｖフラグが付加可能な範囲は、垂直ブランキング期間内に決められており、映像信号が、ＮＴＳＣ信号の場合は、垂直ブランキング期間の水平ライン数は２０である。そして、上述の例のように、特殊再生の再生速度が著しく速い、早送り再生の速度が３０倍速の場合、ＮＴＳＣ方式において垂直ブランキング期間の水平ライン数が２０であるにもかかわらず、Ｖフラグ補正値ｓ１０４は“−２１”である。この場合に、上記実施の形態１と同様、Ｖフラグ付加制御回路２２により、Ｖフラグ補正値ｓ１０４“２１Ｈ”分だけ、通常再生時よりＶフラグを早く出力してしまうと、Ｖフラグが有効画素範囲に出力され、ＳＡＶ／ＥＡＶは有効画素範囲の途中の水平ラインから付加が開始されることとなって、映像信号の有効画素範囲に影響がでてしまうという支障がでてくる。
【００５１】
これを回避するため、本実施の形態２においては、映像信号の有効画素範囲に影響を与えないようにするため、上記Ｖフラグの付加位置の調整可能な水平ライン数を、垂直ブランキング期間内に限定する。具体的には、第２の演算部２１の出力に対して、リミッタ回路２３を設け、上記第２の演算部２１からのＶフラグ補正値ｓ１０４をリミッタ回路２３に入力し、上記Ｖフラグ補正値ｓ１０４が垂直ブランキング期間の水平ライン数の最大値以下であるか否かを判断し、最大値以下である場合は、そのＶフラグ補正値ｓ１０４を第２のＶフラグ補正値ｓ１０６として出力し、また、最大値より大きい場合は、そのＶフラグ補正値ｓ１０４をその最大値（例えば、ＮＴＳＣ信号であれば２０）に置き換え、第２のＶフラグ補正値ｓ１０６として出力するようにする。ここでは、上記第２の演算部２１からのＶフラグ補正値ｓ１０４が“−２１”であることから、図６に示すように、リミッタ回路２３において、垂直ブランキング期間の水平ライン数の最大値である“−２０”に置き換えて出力される。この結果、Ｖフラグが映像信号の垂直ブランキング期間外に付加されることがなくなり、出力映像信号の有効画素範囲に影響を与えることなく、出力映像信号をより画面中央近くに出力することが可能となる。
【００５２】
そして、Ｖフラグ付加制御回路２２は、上記リミッタ回路２３からの第２のＶフラグ補正値ｓ１０６と、上記水平ラインカウンタ１８からの水平ライン数ｓ１０１とに基づいて、上記Ｖフラグ補正値ｓ１０４の符号が負である早送り再生の際には、Ｖフラグのイネーブル信号ｓ１０５を、通常再生の場合より、第２のＶフラグ補正値ｓ１０６分だけ早く出力するよう制御する。なお、通常再生の場合、Ｖフラグのイネーブル信号ｓ１０５は、垂直同期信号と同時に立ち上がるものである。ここでは、上記判別値ｓ１０３が“早送り再生”を示し、上記第２のＶフラグ補正値ｓ１０６が“−２０”であるため、図６に示すように、入力された映像信号の垂直同期信号の立ち上がりから、第２のＶフラグ補正値ｓ１０６分、つまり水平ライン数２０分だけ早く、Ｖフラグのイネーブル信号ｓ１０５を出力する。
【００５３】
そして、ＲＥＣ６５６ＥＮＣ回路１６において、上記Ｖフラグ付加制御回路２１からのイネーブル信号ｓ１０５に基づいて、ＳＡＶ／ＥＡＶを上記ＴＢＣ回路１５からのＹ信号及びＣ信号に付加し、ＲＥＣ６５６信号として映像信号出力端子１２から出力する。この映像信号出力端子１２から出力されたＲＥＣ６５６信号を表示した場合、上記第２のＶフラグ補正値ｓ１０６分だけ画面に映し出される表示位置が早められることとなるため、通常再生時の出力表示の中心線を基準にして比較すると、本実施の形態２における早送り再生時の表示画面上の映像は、縦方向に縮むが、画面の中心、あるいはより中心に近い位置に表示することができる。
【００５４】
一方、ＶＴＲでＮＴＳＣ信号の巻き戻し再生を行った際の映像信号が、映像信号入力端子１１から入力された場合、上記第１の演算部１９において算出される差分値ｓ１０２は正の値となり、特殊再生判別回路２０は、判別値ｓ１０３として“巻き戻し再生”に対応する値を出力する。そして、上記第２の演算部２１は、上記差分値ｓ１０２を２で徐算した値であるＶフラグ補正値ｓ１０４を算出し、リミッタ回路２３において、Ｖフラグ補正値ｓ１０４が垂直同期ブランキング期間の水平ライン数の最大値以下（ＮＴＳＣ信号の場合、２０Ｈ）であるか否かを判断し、該Ｖフラグ補正値ｓ１０４が垂直ブランキング期間の水平ライン数の最大値以下である場合は、その値を第２のＶフラグ補正値ｓ１０６として、また、垂直ブランキング期間の水平ライン数の最大値より大きい場合は、垂直ブランキング期間の水平ライン数の最大値（ＮＴＳＣ方式の場合２０Ｈ）を第２のＶフラグ補正値ｓ１０６として、上記Ｖフラグ付加制御回路２２に出力する。
【００５５】
そして、上記Ｖフラグ付加制御回路２２は、上記第２のＶフラグ補正値ｓ１０６、及び上記水平ラインカウンタ１８からの水平ライン数ｓ１０１に基づいて、上記第２のＶフラグ補正値ｓ１０６の符号が正である巻き戻し再生の際には、Ｖフラグのイネーブル信号ｓ１０５を、通常再生の場合より第２のＶフラグ補正値ｓ１０６分だけ遅く出力するよう制御する。そして、ＲＥＣ６５６ＥＮＣ回路１６において、上記Ｖフラグ付加制御回路２１からのイネーブル信号ｓ１０５に基づいて、ＳＡＶ／ＥＡＶを上記ＴＢＣ回路１５からのＹ信号及びＣ信号に付加し、ＲＥＣ６５６信号として映像信号出力端子１２から出力する。ここでは、判別値ｓ１０３が“早送り再生”を示し、且つ第２のＶフラグ補正値ｓ１０６が“−２０”であるため、垂直同期信号の立ち上がりから、第２のＶフラグ補正値ｓ１０６“２０Ｈ”の分だけ、Ｖフラグのイネーブル信号ｓ１０５の出力を遅らせる。
【００５６】
そして、ＲＥＣ６５６ＥＮＣ回路１６において、上記Ｖフラグ付加制御回路２１から出力されたイネーブル信号ｓ１０５に基づいて付加位置が調整されたＳＡＶ／ＥＡＶが、上記ＴＢＣ回路１５から出力されるＹ信号及びＣ信号に付加され、ＲＥＣ６５６信号として映像信号出力端子１２から出力される。これにより、上記映像信号出力端子１２から出力されたＲＥＣ６５６信号により表示される映像は、画面上において、上記第２のＶフラグ補正値ｓ１０６分だけその表示位置が遅らされることとなるため、通常再生時の出力表示の中心線を基準にして比較すると、本実施の形態２における巻き戻し再生時の表示画面上の映像は、縦方向に伸びるが、画面の中心、あるいはより中心に近い位置に表示することができる
【００５７】
以上のように、本実施の形態２によれば、特殊再生時の、通常再生時と比較した１フィールドの水平ラインの差分値ｓ１０２を第１の演算部１９で算出し、第２の演算部１９において、上記差分値ｓ１０２を２で徐算した値であるＶフラグ補正値ｓ１０４を求め、該Ｖフラグ補正値ｓ１０４の値が、垂直ブランキング期間の水平ライン数の最大値以下の値であるか否かをリミッタ回路２３で判断し、垂直ブランキング期間の水平ライン数の最大値より大きい場合には、垂直ブラング期間の水平ライン数の最大値に置き換えて、第２のＶフラグ補正値ｓ１０６として出力し、該第２のＶフラグ補正値ｓ１０６分、入力映像信号に付加するＳＡＶ／ＥＡＶの付加位置を早めたり遅らせることによって、映像信号出力端子１２から出力されるＲＥＣ６５６信号の表示画面上の表示位置を調整するようにしたので、入力映像信号の水平ライン数の増減がＶフラグ補正値の有効画素範囲を超えた場合においても、出力映像信号の有効画素範囲に影響を与えること無く、特殊再生時における画面の上下ズレの現象を最小限に抑制することを可能とする。
【００５８】
【発明の効果】
以上のように、本発明の請求項１に記載の映像信号処理方法によれば、デジタル映像信号の垂直同期信号、及び水平同期信号を基に、該デジタル映像信号の１水平ライン毎に、該水平ラインの位置情報を含む信号を付加する映像信号処理方法において、上記デジタル映像信号の垂直同期信号間の水平ライン数と、該デジタル映像信号が通常再生時の垂直同期信号間の水平ライン数との差分値を求め、該差分値に応じて、上記デジタル映像信号の上記垂直同期信号の付加タイミングを制御し、上記デジタル映像信号の垂直同期信号間の水平ライン数、及び上記付加タイミングが制御された垂直同期信号に基づいて、上記デジタル映像信号に付加する水平ラインの位置情報を含む信号の付加位置を制御するようにしたので、巻き戻し再生や早送り再生である特殊再生時においても、常に出力映像を画面中央に表示することが可能となる。
【００５９】
また、本発明の請求項２に記載の映像信号処理回路によれば、デジタル映像信号の垂直同期信号、及び水平同期信号を基に、該デジタル映像信号の１水平ライン毎に、該水平ラインの位置情報を含む信号を付加する映像信号処理回路において、上記デジタル映像信号の同期分離を行い、水平同期信号及び垂直同期信号を出力する同期分離回路と、上記デジタル映像信号の垂直同期信号間の水平ライン数と、該デジタル映像信号が通常再生時の垂直同期信号間の水平ライン数と、の差分値を算出する第１の演算部と、上記差分値に基づいて、上記垂直同期信号の付加タイミングを補正する垂直同期信号補正値を算出する第２の演算部と、上記デジタル映像信号の垂直同期信号間の水平ライン数、及び上記垂直同期信号補正値に基づいて、上記デジタル映像信号に付加する付加タイミングが制御された垂直同期信号を出力する垂直同期信号制御回路と、上記水平同期信号、及び上記付加タイミングが制御された垂直同期信号を基に、該デジタル映像信号の１水平ライン毎に、該水平ラインの位置情報を含む信号を付加する信号付加回路と、を備えるようにしたので、巻き戻し再生や早送り再生である特殊再生時においても、出力映像を常に画面中央に出力することができる。また、これによって、装置内にメモリを設けず、装置規模を大きくすることなく、特殊再生時の画面上の出力映像をみやすくできる。
【００６０】
また、本発明の請求項３に記載の映像信号処理回路によれば、請求項２に記載の映像信号処理回路において、上記差分値が正の自然数、あるいは負の自然数である場合、上記デジタル映像信号が巻き戻し再生、あるいは早送り再生である特殊再生時の映像信号であると判別し、上記差分値が０である場合、上記デジタル映像信号が通常再生時の映像信号であると判別する特殊再生判別回路を備え、上記第２の演算部は、上記特殊再生判別回路の判別結果、及び上記差分値に基づいて、上記垂直同期信号補正値を算出するようにしたので、上記デジタル映像信号が、早送り再生、巻き戻し再生である特殊再生か、通常再生であるかを、差分値により判別することが可能となり、該デジタル映像信号に付加する垂直同期信号の出力タイミングの制御を適切に行うことができる。
【００６１】
また、本発明の請求項４に記載の映像信号処理回路によれば、請求項２に記載の映像信号処理回路において、上記垂直同期信号制御回路は、上記デジタル映像信号が、早送り再生の映像信号の場合、上記デジタル映像信号に付加する垂直同期信号の付加タイミングを、上記垂直同期信号補正値分早くし、上記デジタル映像信号が、巻き戻し再生の映像信号の場合、上記デジタル映像信号に付加する垂直同期信号の付加タイミングを、上記垂直同期信号補正値分遅くするようにしたので、上記デジタル映像信号が、早送り再生、あるいは巻き戻し再生である特殊再生の場合であっても、出力映像を、常に画面の中央に表示することが可能となる。
【００６２】
また、本発明の請求項５に記載の映像信号処理回路によれば、請求項２に記載の映像信号処理回路において、上記第２の演算部から出力された上記垂直同期信号補正値が、上記デジタル映像信号の垂直ブランキング期間の水平ライン数の最大値以下であるか否かを判断し、上記最大値以下である場合は、上記垂直同期信号補正値を、上記最大値より大きい場合は、該最大値を、第２の垂直同期信号補正値として出力するリミッタ回路を備え、上記垂直同期信号制御回路は、上記デジタル映像信号の垂直同期信号間の水平ライン数、及び上記第２の垂直同期信号補正値に基づいて、上記デジタル映像信号に付加する付加タイミングが制御された垂直同期信号を出力するようにしたので、早送り再生、あるいは巻き戻し再生である特殊再生の速度が著しく速いために、上記垂直同期信号補正値が垂直ブランキング期間の水平ライン数の最大値を超えてしまう場合は、上記垂直同期信号補正値として垂直ブランキング期間の水平ライン数の最大値を出力して、出力映像信号の有効画素範囲に影響を与えることなく、特殊再生時における画面の上下のずれを最小限に抑制することができる。
【００６３】
また、本発明の請求項６に記載の映像信号処理回路によれば、請求項５に記載の映像信号処理回路において、上記垂直同期信号制御回路は、上記デジタル映像信号が、早送り再生の映像信号の場合、上記デジタル映像信号に付加する垂直同期信号の付加タイミングを、上記第２の垂直同期信号補正値分早くし、上記デジタル映像信号が、巻き戻し再生の映像信号の場合、上記デジタル映像信号に付加する垂直同期信号の付加タイミングを、上記第２の垂直同期信号補正値分遅くするようにしたので、上記デジタル映像信号が、早送り再生、あるいは巻き戻し再生の速度が著しく速い特殊再生の場合であっても、出力映像信号の有効画素範囲に影響を与えることなく、出力映像を画面の中央近くに表示することが可能となる。
【００６４】
また、本発明の請求項７に記載の映像信号処理回路によれば、請求項２または請求項５に記載の映像信号処理回路において、上記第２の演算部は、上記差分値を２で除算した整数値を、上記垂直同期信号補正値とするようにしたので、早送り再生、あるいは巻き戻し再生である特殊再生時において、出力映像信号を、常に表示画面の中央、あるいは中央近くに表示することが可能となる。
【図面の簡単な説明】
【図１】本実施の形態１に係る映像信号処理回路の構成を示す図である。
【図２】本実施の形態１に係る、早送り戻し再生の際に、映像信号処理回路の映像信号出力端子から出力されたＲＥＣ６５６信号を表示した図であり、図（ａ）は、通常再生時の映像表示を示す図であり、図（ｂ）は、Ｖフラグ補正前の映像表示を示す図であり、図（ｃ）は、Ｖフラグ補正後の映像表示を示す図である。
【図３】本実施の形態１に係る、映像信号処理回路において、早送り再生信号を処理する際のタイミングチャートを示す図である。
【図４】本実施の形態１に係る、巻き戻し再生の際に、映像信号処理回路の映像信号出力端子から出力されたＲＥＣ６５６信号を表示した図であり、図（ａ）は、通常再生時の映像表示を示す図であり、図（ｂ）は、Ｖフラグ補正前の映像表示を示す図であり、図（ｃ）は、Ｖフラグ補正後の映像表示を示す図である。
【図５】本実施の形態２に係る、映像信号処理回路の構成を示す図である。
【図６】本実施の形態２に係る、映像信号処理回路において、早送り再生信号を処理する際のタイミングチャートを示す図である。
【図７】１水平ライン分のＲＥＣ６５６信号を模式的に示した図である。
【図８】従来における映像信号処理回路の構成を示す図である。
【図９】従来における、映像信号処理回路から出力される映像信号を表示した図であり、図（ａ）は通常再生時の表示を示す図であり、図（ｂ）は、早送り再生時の表示を示す図であり、図（ｃ）は、巻き戻し再生時の表示を示す図である。
【符号の説明】
１０，１０ａ，５０　映像信号処理回路
１１，５１　映像信号入力端子
１２，５２　映像信号出力端子
１３，５３　Ａ／Ｄ変換回路
１４，５４　Ｙ／Ｃ分離回路
１５，５５　ＴＢＣ回路
１６，５６　ＲＥＣ６５６ＥＮＣ回路
１７，５７　同期分離回路
１８　水平ラインカウンタ
１９　第１の演算部
２０　特殊再生判別回路
２１　第２の演算部
２２　Ｖフラグ付加制御回路
２３　リミッタ回路
ｓ１００　デジタル映像信号
ｓ１０１　水平ライン数
ｓ１０２　差分値
ｓ１０３　判別値
ｓ１０４　Ｖフラグ補正値
ｓ１０５　Ｖフラグのイネーブル信号
ｓ１０６　第２のＶフラグ補正値
【図１】
2004112657.tif 000003
【図２】
2004112657.tif 000004
【図３】
2004112657.tif 000005
【図４】
2004112657.tif 000006
【図５】
2004112657.tif 000007
【図６】
2004112657.tif 000008
【図７】
2004112657.tif 000009
【図８】
2004112657.tif 000010
【図９】
2004112657.tif 000011